(57)【要約】【課題】シャッタ装置の構造を簡略化する。【解決手段】シャッタ装置は、基板に設けられた開口の外側の第１位置と開口を遮光する第２位置との間を移動する第１遮光部材と、軸の回りを回転して開口の外側の第３位置と開口を遮光する第４位置との間を移動する第２遮光部材と、軸の回りを回転して第１遮光部材を駆動する第１の駆動部材と、軸の回りに回転して第２遮光部材と第１の駆動部材とを駆動する第２の駆動部材と、を備える。【選択図】図２
2017097237.tif 000002
【特許請求の範囲】
【請求項１】
基板に設けられた開口の外側の第１位置と前記開口を遮光する第２位置との間を移動する第１遮光部材と、
軸の回りを回転して前記開口の外側の第３位置と前記開口を遮光する第４位置との間を移動する第２遮光部材と、
前記軸の回りを回転して前記第１遮光部材を駆動する第１の駆動部材と、
前記軸の回りに回転して前記第２遮光部材と前記第１の駆動部材とを駆動する第２の駆動部材と、を備えるシャッタ装置。
【請求項２】
基板に設けられた開口の外側の第１位置と前記開口を遮光する第２位置との間を第１方向に移動する遮光部材と、
前記開口に対して前記第１方向と交差する方向の外側の第３位置に配置され、前記遮光部材を駆動する駆動機構と、
前記開口に対して前記第１方向の外側に配置され、前記駆動機構に駆動力を与える駆動源と、を備えるシャッタ装置。
【請求項３】
基板に設けられた開口の外側の第１位置と前記開口を遮光する第２位置との間を第１方向に移動する第１遮光部材と、
前記開口の外側の第３位置と前記開口を遮光する第４位置との間を移動する第２遮光部材と、を備え、
前記第２遮光部材は、前記第３位置において前記第２遮光部材の端部が前記第１遮光部材よりも前記第１方向と反対側に突出するシャッタ装置。
【請求項４】
請求項３に記載のシャッタ装置において、
前記第２遮光部材は、軸の周りを回転可能に設けられ、
前記軸の周りを回転して前記第１遮光部材を駆動する第１駆動部材と、
前記軸の周りを回転して前記第２遮光部材と第１駆動部材を駆動する第２駆動部材とを備えるシャッタ装置。
【請求項５】
請求項３に記載のシャッタ装置において、
前記第２遮光部材は、前記端部における前記第１方向の長さが前記端部と異なる部分における前記第１方向の長さよりも長いシャッタ装置。
【請求項６】
請求項５に記載のシャッタ装置において、
前記第１方向に直交する第２方向の長さが前記第２遮光部材の長さよりも短い第３遮光部材を備えるシャッタ装置。
【請求項７】
カメラの筐体と、
前記筐体から突出した筒部材と、
前記筒部材に配置されたシャッタ機構と、
前記筒部材の前記筐体と反対側に設けられ、レンズ鏡筒を着脱可能なマウント部と、を備える撮像装置。
【請求項８】
請求項７に記載の撮像装置において、
前記シャッタ機構を介して入射した光束による像を撮像する撮像素子を前記筒部材に備える撮像装置。
【発明の詳細な説明】
【技術分野】
【０００１】
本発明は、シャッタ装置および撮像装置に関する。
【背景技術】
【０００２】
シャッタ羽根のうち、スリット形成羽根を平行リンク機構によって駆動し、遮蔽羽根を回動するフォーカルプレーンシャッタ装置が知られている（特許文献１参照）。このシャッタ装置では、補助羽根を回動する構造が複雑である。
【先行技術文献】
【特許文献】
【０００３】
【特許文献１】実公昭５９−２８４１４号公報
【発明の概要】
【０００４】
シャッタ装置は、基板に設けられた開口の外側の第１位置と前記開口を遮光する第２位置との間を移動する第１遮光部材と、軸の回りを回転して前記開口の外側の第３位置と前記開口を遮光する第４位置との間を移動する第２遮光部材と、前記軸の回りを回転して前記第１遮光部材を駆動する第１の駆動部材と、前記軸の回りに回転して前記第２遮光部材と前記第１の駆動部材とを駆動する第２の駆動部材と、を備える。
また、シャッタ装置は、基板に設けられた開口の外側の第１位置と前記開口を遮光する第２位置との間を第１方向に移動する遮光部材と、前記開口に対して前記第１方向と交差する方向の外側の第３位置に配置され、前記遮光部材を駆動する駆動機構と、前記開口に対して前記第１方向の外側に配置され、前記駆動機構に駆動力を与える駆動源と、を備える。
また、シャッタ装置は、基板に設けられた開口の外側の第１位置と前記開口を遮光する第２位置との間を第１方向に移動する第１遮光部材と、前記開口の外側の第３位置と前記開口を遮光する第４位置との間を移動する第２遮光部材と、を備え、前記第２遮光部材は、前記第３位置において前記第２遮光部材の端部が前記第１遮光部材よりも前記第１方向と反対側に突出する。
撮像装置は、カメラの筐体と、前記筐体から突出した筒部材と、前記筒部材に配置されたシャッタ機構と、前記筒部材の前記筐体と反対側に設けられ、レンズ鏡筒を着脱可能なマウント部と、を備える。
【図面の簡単な説明】
【０００５】
【図１】第１の実施の形態のシャッタ装置の内部構造を示す図であり、遮光羽根が撮影開口の外の退避位置に位置している状態を示す図である。
【図２】第１の実施の形態のシャッタ装置の内部構造を示す図であり、露光が終了して遮光羽根が撮影開口を遮蔽する遮蔽位置にいる状態を示す図である。
【図３】第１の実施の形態のシャッタ装置の内部構造を示す図であり、シャッタ装置を撮影レンズの光軸と直交する方向から見たときの断面を示す模式図である。
【図４】第１の実施の形態のシャッタ装置を構成する各部材の一部についての部品図であり、（ａ）は第１の後幕遮光羽根の部品図であり、（ｂ）は第２の後幕遮光羽根の部品図であり、（ｃ）は第３の後幕遮光羽根の部品図であり、（ｄ）は駆動アームおよび従動アームの部品図であり、（ｅ）は駆動レバーの部品図である。
【図５】第２の実施の形態のシャッタ装置の内部構造を示す図であり、遮光羽根が撮影開口の外の退避位置に位置している状態を示す図である。
【図６】第２の実施の形態のシャッタ装置の内部構造を示す図であり、露光が終了して遮光羽根が撮影開口を遮蔽する遮蔽位置にいる状態を示す図である。
【図７】第２の実施の形態のシャッタ装置の内部構造を示す図であり、シャッタ装置を撮影レンズの光軸と直交する方向から見たときの断面を示す模式図である。
【図８】第２の実施の形態のシャッタ装置を構成する各部材の一部についての部品図であり、（ａ）は第１の後幕遮光羽根の部品図であり、（ｂ）は第２の後幕遮光羽根の部品図であり、（ｃ）は第３の後幕遮光羽根の部品図であり、（ｄ）は駆動アームおよび従動アームの部品図である。
【図９】図６から、各アーム、駆動レバー、伝達ギヤ、駆動モータなどの記載を省略した図である。
【図１０】撮影装置の一例としてのカメラボディの光軸に沿った断面における構造を模式的に示す断面図である。
【発明を実施するための形態】
【０００６】
−−−第１の実施の形態−−−
図１〜４を参照して、デジタルカメラなどの撮像装置に搭載されるフォーカルプレーンシャッタ装置の第１の実施の形態を説明する。図１〜３は、シャッタ装置の内部構造を示す図である。図１は、遮光羽根が撮影開口の外の退避位置に位置している状態を示す図であり、図２は、露光が終了して遮光羽根が撮影開口を遮蔽する遮蔽位置にいる状態を示す図であり、基板の一部を太線で強調した図である。図３は、シャッタ装置を撮影レンズの光軸と直交する方向から見たときの断面を示す模式図である。
【０００７】
フォーカルプレーンシャッタ装置１は、一対の基板１０，２０（図３参照）と、第１、第２、および第３の後幕遮光羽根３１，３２，３３と、駆動アーム４０と、従動アーム５０と、駆動レバー６０と、伝達ギヤ７０と、駆動モータ８０とを備える。本実施の形態のフォーカルプレーンシャッタ装置１は、いわゆる電子先幕方式のフォーカルプレーンシャッタ装置である。以下の説明では、フォーカルプレーンシャッタ装置１を単にシャッタ装置１と呼ぶ。
【０００８】
図３に示すように、一対の基板１０，２０は、不図示の撮影レンズの光軸ＡＸ方向に間隔を置いて配置された板状の部材である。図２に示すように、一対の基板１０，２０は、外形が円形状を呈し、撮影レンズを透過した被写体光束が通過する撮影開口１１，２１と、後述する駆動レバー６０の駆動ピン６３が移動可能に挿通される長穴１２，２２とを有する。撮影開口１１，２１は、図１，２において左右方向に延在する一対の長辺と上下方向に延在する一対の短辺とを有する長方形形状を呈する。
また、基板１０には、光軸ＡＸ方向から見て同一位置において、軸支用のピン１３が光軸方向（図３で下方）に突出するように設けられ、軸支用のピン１５が光軸方向の反対側（図３で上方）に突出するように設けられている。これらのピンは、図１に明示したように、撮影開口１１の右側の短辺側に位置している。
【０００９】
図４はシャッタ装置１を構成する各部材の一部についての部品図である。図４（ａ）は、第１の後幕遮光羽根３１の部品図である。図４（ｂ）は、第２の後幕遮光羽根３２の部品図である。図４（ｃ）は、第３の後幕遮光羽根３３の部品図である。図４（ｄ）は、駆動アーム４０および従動アーム５０の部品図である。図４（ｅ）は、駆動レバー６０の部品図である。なお、図４（ａ）〜（ｅ）では、各部品が互いに連結される部位同士や、同一の軸線上に配置される部位同士を一点鎖線で結んでいる。
【００１０】
図１，２および図４（ａ）に示すように、第１の後幕遮光羽根３１は、露光時に電子先幕とともにスリットを形成するスリット形成羽根であり、露光光束のエッジを規定する。即ち、第１の後幕遮光羽根３１は、遮光動作時に最初に撮影開口１１、２１内に進入する羽根である。第１の後幕遮光羽根３１は、後述のように、上辺３１ａおよび下辺３１ｂを撮影開口１１，２１の長辺と平行な状態を保ったまま退避位置と遮蔽位置との間を移動する。即ち、第１の後幕遮光羽根３１は、退避位置と遮蔽位置との間を移動中、第１の後幕遮光羽根３１の上辺３１ａが、撮影開口１１，２１の長辺と略平行に延在している。第１の後幕遮光羽根３１は、図１，２における左側の端部の連結部３１ｃ、３１ｄ（図４（ａ）参照）に取り付けられた第１および第２のかしめピン９１ａ，９１ｂによって駆動アーム４０および従動アーム５０にそれぞれ軸支されている。図２に示すように、撮影開口１１，２１を遮蔽する遮蔽位置では、後幕遮光羽根３１における駆動アーム４０および従動アーム５０との第１および第２のかしめピン９１ａ，９１ｂによる軸支位置は、駆動アーム４０および従動アーム５０の後述する基板側連結部４１，５１の位置とは、撮影開口１１，２１を挟んで反対側である。なお、遮蔽位置を遮光位置とも呼ぶ。
本実施の形態では、図１に示す退避位置において、第１の後幕遮光羽根３１を基板１０，２０の外縁よりも内側に収めるために、第１の後幕遮光羽根３１は右下隅が面取りされており、右斜め上向きに傾斜する辺３１ｅが形成されている。
【００１１】
図１，２および図４（ｂ）に示すように、第２の後幕遮光羽根３２は、遮光動作時に、第１の後幕遮光羽根３１に引き続き撮影開口１１、２１内に進入する羽根である。第２の後幕遮光羽根３２も、後述のように、上辺３２ａおよび下辺３２ｂを撮影開口１１，２１の長辺と平行な状態を保ったまま退避位置と遮蔽位置との間を移動する。即ち、第２の後幕遮光羽根３２は、退避位置と遮蔽位置との間を移動中、第２の後幕遮光羽根３２が、第１の後幕遮光羽根３１と略平行に延在する。第２の後幕遮光羽根３２は、連結部３２ｄ、３２ｅ（図４（ｂ）参照）に取り付けられた第３および第４のかしめピン９１ｃ，９１ｄによって駆動アーム４０および従動アーム５０にそれぞれ軸支されている。図１〜３に示すように、第２の後幕遮光羽根３２の図中左側の端部３２ｃは、第１の後幕遮光羽根３１と駆動アーム４０および従動アーム５０とを連結する第１および第２のかしめピン９１ａ，９１ｂとの干渉を防止するため、第１および第２のかしめピン９１ａ，９１ｂよりも右側に位置している。
【００１２】
本実施の形態では、上述したように第１の後幕遮光羽根３１の右下隅部分が面取りされたことによって、図２に示す遮蔽位置において撮影開口１１，２１を遮蔽できない領域が辺３１ｅの右斜め下側に発生する。この領域を遮光するため、本実施の形態では、第２の後幕遮光羽根３２は、右側の領域の高さが上辺３２ａよりも高くなるように形成されている。すなわち、本実施の形態の第２の後幕遮光羽根３２は、上辺３２ａの右側に右斜め上向きに傾斜する辺３２ｆが形成されている。
また、本実施の形態では、図１に示す退避位置において、第２の後幕遮光羽根３２を基板１０，２０の外縁よりも内側に収めるために、第２の後幕遮光羽根３２は右下隅が面取りされており、右斜め上向きに傾斜する辺３２ｇが形成されている。
【００１３】
図１，２および図４（ｃ）に示すように、第３の後幕遮光羽根３３は、遮光動作時に、第２の後幕遮光羽根３２に引き続き撮影開口１１，２１内に進入する羽根である。第３の後幕遮光羽根３３は、後述のように、第１および第２の遮光羽根３１、３２と異なり、退避位置と遮蔽位置との間を支持用ピン１３を中心に回動する。第３の後幕遮光羽根３３は、軸支用孔３３ｃと、駆動用孔３３ｄとを有する。第３の後幕遮光羽根３３は、軸支用孔３３ｃを挿通する軸支用ピン１３によって回動可能に軸支されている。第３の後幕遮光羽根３３の駆動用孔３３ｄには、駆動レバー６０の駆動ピン６３が挿通される。
【００１４】
本実施の形態では、上述したように第２の後幕遮光羽根３２の右下隅部分が面取りされたことによって、図２に示す遮蔽位置において撮影開口１１，２１を遮蔽できない領域が辺３２ｇの右斜め下側に発生する。この領域を遮光するため、本実施の形態では、第３の後幕遮光羽根３３は、右側の領域の高さが上辺３３ａよりも高くなるように形成されている。すなわち、本実施の形態の第３の後幕遮光羽根３３は、上辺３３ａの右側に右斜め上向きに傾斜する辺３３ｆが形成されている。
【００１５】
第３の後幕遮光羽根３３は、図２に示すように、撮影開口１１，２１を遮蔽する遮蔽位置では、第３の後幕遮光羽根３３が、撮影開口１１，２１の長辺と略平行に延在する。また、第３の後幕遮光羽根３３は、図１に示すように、撮影開口１１，２１を開放する退避位置では、後幕遮光羽根３３が、撮影開口１１，２１の長辺に対して傾斜する。
なお、本実施の形態にあっては、第１〜第３の後幕遮光羽根３１〜３３の退避位置は、撮影開口１１、２１の長辺下側である。
【００１６】
駆動アーム４０と従動アーム５０とは、第１および第２の後幕遮光羽根３１，３２を、撮影開口１１，２１の長辺と平行な状態を保ったまま移動させる平行リンク機構を構成する。駆動アーム４０は、第１および第２の後幕遮光羽根３１，３２を駆動する駆動アームであり、図１〜３、図４（ｄ）において、基板側連結孔４１と、第１および第２の遮光羽根側連結孔４２ａ，４２ｂと、駆動用孔４３とを有する。駆動アーム４０は、基板側連結孔４１に挿通する軸支用ピン１３によって回動可能に軸支されている。駆動アーム４０は、第１および第２の遮光羽根側連結孔４２ａ，４２ｂで第１および第３のかしめピン９１ａ，９１ｃによって第１および第２の後幕遮光羽根３１，３２が回動可能に連結されている。駆動アーム４０の駆動用孔４３には、駆動レバー６０の駆動ピン６３が挿通される。
【００１７】
従動アーム５０は、第１および第２の後幕遮光羽根３１，３２とともに従動するアームであり、図１，２、図４（ｄ）において、基板側連結孔５１と、第１および第２の遮光羽根側連結孔５２ａ，５２ｂとを有する。図１，２に示すように、従動アーム５０は、基板側連結孔５１に挿通する軸支用ピン１４に回動可能に軸支されている。従動アーム５０は、第１および第２の遮光羽根側連結孔５２ａ，５２ｂで第２および第４のかしめピン９１ｂ、９１ｄによって後幕遮光羽根３１，３２が回動可能に連結されている。
【００１８】
駆動レバー６０は、駆動アーム４０および第３の後幕遮光羽根３３を駆動する駆動レバーであり、図１，２、図４（ｅ）に示すように、連結孔６１と、ギヤ部６２と、駆動ピン６３とを有する。図１〜３に示すように、駆動レバー６０は、連結孔６１に挿通された軸支用ピン１５に回動可能に軸支されている。なお、軸支用ピン１５と軸支用ピン１３とは、上述したように、中心軸が一致した同軸のピンであり、基板１０から互いに反対側に突出している。ギヤ部６２は、伝達ギヤ７０のギヤ部７１と噛合している。駆動ピン６３は、図３に明示するように、基板１０、２０の長穴１２，２２と、駆動アーム４０の駆動用孔４３と、第３の後幕遮光羽根３３の駆動用孔３３ｄとを貫通、すなわち挿通している。
【００１９】
伝達ギヤ７０は、図１，２において軸支用ピン１３，１５の上方で基板１０に回動可能に軸支されたギヤであり、２つのギヤ部７１，７２を有する。ギヤ部７２は、駆動モータ８０のギヤ部８２と噛合している。伝達ギヤ７０は、駆動モータ８０からの駆動力を駆動レバー６０に伝達する。
駆動モータ８０は、図１，２において、撮影開口１１，２１の長辺上側、即ち、撮影開口１１，２１を挟んで後幕遮光羽根の退避位置の反対側において、基板１０に取り付けられた駆動モータである。駆動モータ８０の出力軸８１にはギヤ部８２が取り付けられ、このギヤ部８２は伝達ギヤ７０のギヤ部７２と噛合する。駆動モータ８０を図１，２における撮影開口１１，２１の上方に取り付けることで、駆動モータ８０を撮影開口１１，２１の側方に設ける必要がなくなり、シャッタ装置１の左右方向の大きさや光軸ＡＸ方向の大きさを小さくすることができる。また、撮影開口１１，２１の上方の空間を有効利用できるので、シャッタ装置２１を小型化できる。
【００２０】
このように構成されるシャッタ装置１の動作は、以下のとおりである。
撮影開始前、第１〜第３の後幕遮光羽根３１〜３３は、図１に示すように、撮影開口１１，２１の下方の退避位置に退避して撮影開口１１，２１を開放する。この退避位置では、第１および第２の後幕遮光羽根３１，３２は、上下方向に関して略同じ位置で重なり合う。第１および第２の後幕遮光羽根３１，３２は、撮影開口１１，２１の長辺と略平行に延在する。第３の後幕遮光羽根３３は、第１および第２の後幕遮光羽根３１，３２と交差する方向に延在する。第３の後幕遮光羽根３３の先端部３３ｅは、第１および第２の後幕遮光羽根３１，３２の下辺３１ｂ，３２ｂよりも下方に突出する。
すなわち、退避位置においては、第３の後幕遮光羽根３３の先端部３３ｅは、第１および第２の後幕遮光羽根３１，３２の下辺３１ｂ，３２ｂと一対の基板１０，２０の外縁とで囲まれた弓形状の領域に位置する。
このように、退避位置における第３の後幕遮光羽根３３の先端部３３ｅは、一対の基板１０，２０の円形の外形を有効に利用して、第１および第２の後幕遮光羽根３１，３２から突出することができる。
【００２１】
シャッタ装置１が搭載された撮像装置で撮影指示が出力されて、電子先幕が作動して撮像素子の露光動作が開始されて所定の露光時間が経過すると、駆動モータ８０が駆動され、駆動モータ８０の駆動力が伝達ギヤ７０を介して駆動レバー６０に伝達されて、駆動レバー６０が軸支用ピン１５を中心に時計方向に回動する。駆動レバー６０の回動によって、駆動レバー６０に取り付けられた駆動ピン６３が軸支用ピン１５を中心に時計方向に回動する（図１，３参照）。駆動アーム４０は駆動用孔４３に駆動ピン６３が挿通されているので、駆動ピン６３が軸支用ピン１５を中心に時計方向に回動すると、駆動アーム４０も軸支用ピン１３を中心に時計方向に回動する。
【００２２】
上述したように、駆動アーム４０と従動アーム５０とが第１および第２の後幕遮光羽根３１，３２を移動させる平行リンク機構を構成しているので、駆動アーム４０が時計方向に回動すると、第１および第２の後幕遮光羽根３１，３２は、上方に移動して、図２に示すように、撮影開口１１，２１を覆う。このとき、第１および第２の後幕遮光羽根３１，３２は、撮影開口１１，２１の長辺と平行となる状態を保ったまま、退避位置から上方に向かって移動する。
【００２３】
また、第３の後幕遮光羽根３３は、駆動用孔３３ｄに駆動ピン６３が挿通されているので、駆動ピン６３が軸支用ピン１５を中心に時計方向に回動すると、軸支用ピン１３を中心に時計方向に回動して、図２に示すように、撮影開口１１，２１を覆う。
こうして、第１〜第３の後幕遮光羽根３１〜３３は、撮影開口１１，２１を遮蔽する遮蔽位置へ移動して撮像素子の露光動作が終了する。
撮影終了後、駆動モータ８０が上述の場合とは逆方向に駆動されると、第１〜第３の後幕遮光羽根３１〜３３は、図１に示すように退避位置に移動する。
【００２４】
なお、第３の後幕遮光羽根３３は軸支用ピン１３を中心に回動し、駆動レバー６０は軸支用ピン１５を中心に回動する。軸支用ピン１３と軸支用ピン１５とは同軸であるので、第３の後幕遮光羽根３３の回動中心と駆動レバー６０の回動中心とは一致する。したがって、駆動レバー６０の回動に伴って移動する駆動ピン６３の軌跡と、後幕遮光羽根３３の回動に伴って移動する駆動用孔３３ｄの軌跡とは一致する。そのため、駆動ピン６３と駆動用孔３３ｄとの間には、カムとカム溝との間で生じるような摺動が発生しない。
また、第３の後幕遮光羽根３３と、第１及び第２の後幕遮光羽根３１、３２を駆動する駆動アーム４０とは共に、軸支用ピン１３の回りを駆動ピン６３によって駆動される。即ち、第３の後幕遮光羽根３３と駆動アーム４０とが同一の駆動系によって駆動されるので、構成を簡略化することができる。
【００２５】
上述した第１の実施の形態によれば、次の作用効果が得られる。
（１）シャッタ装置１は、基板１０，２０に設けられた撮影開口１１，２１の外側の退避位置と撮影開口１１，２１を遮光する遮蔽位置との間を移動する第１の後幕遮光羽根３１と、軸支用ピン１３の回りを回転して撮影開口１１，２１の外側の退避位置と撮影開口１１，２１を遮光する遮蔽位置との間を移動する第３の後幕遮光羽根３３と、軸支用ピン１３の回りを回転して第１の後幕遮光羽根３１を駆動する駆動アーム４０と、軸支用ピン１３と同軸の軸支用ピン１５の回りに回転して第３の後幕遮光羽根３３と駆動アーム４０とを駆動する駆動レバー６０と、を備える。
このように、同一の駆動レバー６０によって、駆動アーム４０と第３の後幕遮光羽根３３とを同一の駆動レバーによって駆動するので、構造を簡略化することができ、シャッタ装置１のコストダウンを図ることができる。
【００２６】
（２）シャッタ装置１は、基板１０，２０に設けられた撮影開口１１，２１の外側の退避位置と撮影開口１１，２１を遮光する遮蔽位置との間を撮影開口１１，２１の短辺が延在する方向に移動する第１および第２の後幕遮光羽根３１，３２と、撮影開口１１，２１に対して撮影開口１１，２１の短辺が延在する方向と交差する方向の外側の位置に配置され、第１および第２の後幕遮光羽根３１，３２を駆動する駆動レバー６０と、撮影開口１１，２１に対して撮影開口１１，２１の短辺が延在する方向の外側に配置され、駆動レバー６０に駆動力を与える駆動モータ８０と、を備える。
これにより、駆動モータ８０を撮影開口１１，２１の短辺が延在する方向の外側に設ける必要がなくなり、シャッタ装置１の左右方向の大きさや光軸ＡＸ方向の大きさを小さくすることができる。また、撮影開口１１，２１の上方の空間、すなわち、撮影開口１１，２１の短辺が延在する方向と交差する方向の外側の空間を有効利用できるので、シャッタ装置２１を小型化できる。
【００２７】
（３）シャッタ装置１は、基板１０，２０に設けられた撮影開口１１，２１の外側の退避位置と撮影開口１１，２１を遮光する遮蔽位置との間を図１，２における上方向に移動する第１の後幕遮光羽根３１と、撮影開口１１，２１の外側の退避位置と撮影開口１１，２１を遮光する遮蔽位置との間を移動する第３の後幕遮光羽根３３と、を備え、第３の後幕遮光羽根３３は、退避位置において第３の後幕遮光羽根３３の先端部３３ｅが第１の後幕遮光羽根３１よりも図１，２における上方向と反対側に突出する。
これにより、退避位置に退避した第１の後幕遮光羽根３１の下辺３１ｂよりも下方の領域を有効に利用して、第３の後幕遮光羽根３３を退避位置に移動できる。
【００２８】
（４）第３の後幕遮光羽根３３は、軸支用ピン１３の周りを回転可能に設けられている。シャッタ装置１は、軸支用ピン１３の周りを回転して第１の後幕遮光羽根３１を駆動する駆動アーム４０と、軸支用ピン１３と同軸の軸支用ピン１５の周りを回転して第３の後幕遮光羽根３３と駆動アーム４０を駆動する駆動レバー６０とを備える。
これにより、駆動アーム４０によって駆動される第１の後幕遮光羽根３１と、軸支用ピン１３軸の周りを回転する第３の後幕遮光羽根３３とを、簡単な構造で駆動できるので、シャッタ装置１のコストダウンを図れるとともに、シャッタ装置１の耐久性を向上できる。
【００２９】
−−−第２の実施の形態−−−
図５〜９を参照して、シャッタ装置の第２の実施の形態を説明する。以下の説明では、第１の実施の形態と同じ構成要素には同じ符号を付して相違点を主に説明する。特に説明しない点については、第１の実施の形態と同じである。本実施の形態では、主に、平行リンク機構を構成する駆動アームと従動アームとによって全ての後幕遮光羽根が駆動される点で、第１の実施の形態と異なる。
【００３０】
図５〜７は、第２の実施の形態のシャッタ装置の内部構造を示す図である。図５は、遮光羽根が撮影開口の外の退避位置に位置している状態を示す図であり、図６は、露光が終了して遮光羽根が撮影開口を遮蔽する遮蔽位置にいる状態を示す図である。図７は、シャッタ装置を撮影レンズの光軸と直交する方向から見たときの断面を示す模式図である。
第２の実施の形態のシャッタ装置１Ａは、一対の基板１０，２０（図７参照）と、第１、第２、および第３の後幕遮光羽根３１，３４，３５と、駆動アーム４０Ａと、従動アーム５０Ａと、駆動レバー６０と、伝達ギヤ７０と、駆動モータ８０とを備える。
【００３１】
図８はシャッタ装置１を構成する各部材の一部についての部品図である。図８（ａ）は、第１の後幕遮光羽根３１の部品図である。図８（ｂ）は、第２の後幕遮光羽根３４の部品図である。図８（ｃ）は、第３の後幕遮光羽根３５の部品図である。図４（ｄ）は、駆動アーム４０Ａおよび従動アーム５０Ａの部品図である。なお、図８（ａ）〜（ｄ）では、各部品が互いに連結される部位同士や、同一の軸線上に配置される部位同士を一点鎖線で結んでいる。
【００３２】
図５，６および図８（ａ）に示す第１の後幕遮光羽根３１は、第１の実施の形態の後幕遮光羽根３１と同じである。
図５，６および図８（ｂ）に示すように、第２の後幕遮光羽根３４は、遮光動作時に、第１の後幕遮光羽根３１に引き続き撮影開口１１，２１内に進入する羽根である。第２の後幕遮光羽根３２も、上辺３４ｃを撮影開口１１，２１の長辺と平行な状態を保ったまま退避位置と遮蔽位置との間を移動される。
【００３３】
第２の後幕遮光羽根３４は、図５，６における左側の第１領域３４ａと、第１領域３４ａの右側に存在し、第１領域３４ａよりも上下方向の長さが短い第２領域３４ｂとを有する。後幕遮光羽根３４の上辺３４ｃの上下方向の位置は、第１領域３４ａと第２領域３４ｂとで同じである。第１領域３４ａの下辺３４ｄの上下方向の位置は、第２領域３４ｂの左側の下辺３４ｅの位置よりも下である。
【００３４】
第２の後幕遮光羽根３４の上辺３４ｃおよび下辺３４ｄ，３４ｅは、撮影開口１１，２１の長辺と平行に延在する。第２領域３４ｂの右側の下辺３４ｈは、右上がりに傾斜している。第２の後幕遮光羽根３４は、連結部３４ｉ、３４ｊ（図８（ｂ）参照）に取り付けられた第３および第４のかしめピン９１ｃ，９１ｄによって駆動アーム４０Ａおよび従動アーム５０Ａにそれぞれ軸支されている。図５〜７に示すように、第２の後幕遮光羽根３４の左端３４ｆは、第１の後幕遮光羽根３１と駆動アーム４０Ａおよび従動アーム５０Ａとを連結する第１および第２のかしめピン９１ａ，９１ｂとの干渉を防止するため、第１および第２のかしめピン９１ａ，９１ｂよりも右側に位置している。
【００３５】
本実施の形態では、第１の実施の形態と同様に、第１の後幕遮光羽根３１の右下隅部分が面取りされたことによって、図６に示す遮蔽位置において撮影開口１１，２１を遮蔽できない領域が辺３１ｅの右斜め下側に発生する。この領域を遮光するため、本実施の形態では、第２の後幕遮光羽根３４は、右側の領域の高さが上辺３４ｃよりも高くなるように形成されている。すなわち、本実施の形態の第２の後幕遮光羽根３４は、上辺３４ｃの右側に右斜め上向きに傾斜する辺３４ｋが形成されている。
また、本実施の形態では、図５に示す退避位置において、第２の後幕遮光羽根３４を基板１０，２０の外縁よりも内側に収めるために、第２の後幕遮光羽根３４は第２領域３４ｂの右下隅が面取りされており、右斜め上向きに傾斜する辺３４ｈが形成されている。
【００３６】
図９は、説明の便宜上、図６から、各アーム４０Ａ，５０Ａ、駆動レバー６０、伝達ギヤ７０、駆動モータ８０などの記載を省略した図である。
本実施の形態の第２の後幕遮光羽根３４では、図６，９に示す遮蔽位置において、第１の後幕遮光羽根３１の下辺３１ｂよりも下の撮影開口１１，２１をできるだけ遮蔽するために、第１領域３４ａにおける上下方向の大きさを大きくしている。これにより、第１領域３４ａは、第１の後幕遮光羽根３１の下辺３１ｂよりも下の撮影開口１１，２１のうち、第１領域３４ａの右辺３４ｇよりも左側の撮影開口１１，２１を遮蔽している。
【００３７】
なお、図５に示す退避位置において、第２の後幕遮光羽根３４を基板１０，２０の外縁よりも内側に収めるために、第２領域３４ｂの下辺３４ｅの位置を第１領域３４ａの下辺３４ｄの位置よりも上方に設定するとともに、上述したように、第２領域３４ｂの右下隅に右斜め上向きに傾斜する辺３４ｈを形成している。そのため、図６，９に示す遮蔽位置において、第１領域３４ａは、第１の後幕遮光羽根３１の下辺３１ｂよりも下の撮影開口１１，２１のうち、図９で斜線を付した、第１領域３４ａの右辺３４ｇよりも右側の領域１１ａ，２１ａを遮蔽できない。この領域１１ａ，２１ａは、以下に述べる第３の後幕遮光羽根３５によって遮蔽する。
【００３８】
図５，６、図８（ｃ）および図９に示すように、第３の後幕遮光羽根３５は、遮光動作時に、第２の後幕遮光羽根３４に引き続き撮影開口１１，２１内に進入する羽根である。
第３の後幕遮光羽根３５も、上辺３５ａを撮影開口１１，２１の長辺と平行な状態を保ったまま退避位置と遮蔽位置との間を移動される。
第３の後幕遮光羽根３５は、図５，６、図８（ｃ）および図９に示すように、右上隅部分が上方に引き上げられた矩形形状を呈している。すなわち、第３の後幕遮光羽根３５は、第３の後幕遮光羽根３５の上辺３５ａおよび下辺３５ｂが撮影開口１１，２１の長辺と略平行に延在し、上辺３５ａの右側に右斜め上向きに傾斜する辺３５ｇが形成されている。
【００３９】
なお、第３の後幕遮光羽根３５において、上辺３５ａの右側に右斜め上向きに傾斜する辺３５ｇを形成した理由は、次のとおりである。本実施の形態では、上述したように第２の後幕遮光羽根３４の第２領域３４ｂの右下隅部分が面取りされたことによって、図６，９に示す遮蔽位置において撮影開口１１，２１を遮蔽できない領域が辺３４ｈの右斜め下側に発生する。この領域を遮光するため、本実施の形態では、第３の後幕遮光羽根３５は、右側の領域の高さが上辺３５ａよりも高くなるように形成されている。すなわち、本実施の形態の第３の後幕遮光羽根３５は、上辺３５ａの右側に右斜め上向きに傾斜する辺３５ｇが形成されている。
第３の後幕遮光羽根３５は、連結部３５ｅ、３５ｆ（図８（ｃ）参照）に取り付けられた第５および第６のかしめピン９１ｅ，９１ｆによって駆動アーム４０Ａおよび従動アーム５０Ａにそれぞれ軸支されている。
第３の後幕遮光羽根３５の左辺３５ｃは、退避位置において、第２の後幕遮光羽根３４の第１領域３４ａと重なる。
【００４０】
上述したように、第３の後幕遮光羽根３５の役割は、図６，９に示す遮蔽位置において、第２の後幕遮光羽根３４が遮蔽できない領域１１ａ，２１ａ（図９参照）を遮蔽することである。したがって、図９に示すように、第３の後幕遮光羽根３５の形状は、以下の条件を満たすように設定されている。
（１）上辺３５ａが第２の後幕遮光羽根３４の下辺３４ｅよりも上方に位置し、辺３５ｇが第２の後幕遮光羽根３４の辺３４ｈよりも上方に位置すること。
（２）下辺３５ｂが撮影開口１１，２１の下側の長辺（下辺）よりも下方に位置すること。
（３）左辺３５ｃが第２の後幕遮光羽根３４の第１領域３４ａの右辺３４ｇよりも左側に位置すること。
（４）右辺３５ｄが撮影開口１１，２１の右側の短辺（右辺）よりも右方に位置すること。
なお、図７に示すように、第３の後幕遮光羽根３５の左辺３５ｃは、第２の後幕遮光羽根３４と駆動アーム４０Ａおよび従動アーム５０Ａとを連結する第３および第４のかしめピン９１ｃ，９１ｄとの干渉を防止するため、第３および第４のかしめピン９１ｃ，９１ｄよりも右側に位置していることが必要である。
【００４１】
上述した条件を満たせばよいので、第３の後幕遮光羽根３５は、第１および第２の後幕遮光羽根３１，３４と比べて小さくできる。とくに、図６，９に示す遮蔽位置において、第２の後幕遮光羽根３４の第１領域３４ａが遮蔽できない領域１１ａ，２１ａ（図９参照）を遮蔽すればよいので、第３の後幕遮光羽根３５の左右方向の長さは、第１および第２の後幕遮光羽根３１，３４と比べて小さくできる。
なお、上述した条件を満たせばよいので、第３の後幕遮光羽根３５は、図５，６、図８（ｃ）および図９に示す形状に限定されない。
【００４２】
このように構成されるシャッタ装置１Ａの動作は、以下のとおりである。
撮影開始前、第１〜第３の後幕遮光羽根３１、３４，３５は、図５に示すように、撮影開口１１，２１の下方の退避位置に退避して撮影開口１１，２１を開放する。この退避位置では、第１の後幕遮光羽根３１と第２の後幕遮光羽根３４の第２領域３４ｂとは、上下方向に関して略同じ位置で重なり合う。第１〜第３の後幕遮光羽根３１，３４，３５の上辺３１ａ，３４ｃ，３５ａおよび下辺３１ｂ，３４ｄ，３４ｅ，３５ｂは、撮影開口１１，２１の長辺と略平行に延在する。
第２の後幕遮光羽根３４の第１領域の下辺３４ｄは、第１の後幕遮光羽根３１の下辺３１ｂよりも下方に突出する。
すなわち、退避位置においては、第２の後幕遮光羽根３４の第１領域の下辺３４ｄは、第１の後幕遮光羽根３１の下辺３１ｂと一対の基板１０，２０の外縁とで囲まれた弓形状の領域に位置する。
このように、退避位置における第２の後幕遮光羽根３４の第１領域は、一対の基板１０，２０の円形の外形を有効に利用して、第１の後幕遮光羽根３１から突出することができる。
【００４３】
シャッタ装置１が搭載された撮像装置で撮影指示が出力されて、電子先幕が作動して撮像素子の露光動作が開始されて所定の露光時間が経過すると、駆動モータ８０が駆動される。これにより、第１の実施の形態と同様に、駆動レバー６０が軸支用ピン１５を中心に時計方向に回動して、駆動アーム４０を時計方向に回動させる。これにより第１〜第３の後幕遮光羽根３１，３４，３５は、上方に移動して、図６，９に示すように、撮影開口１１，２１を覆う。
【００４４】
撮影終了後、駆動モータ８０が上述の場合とは逆方向に駆動されると、後幕遮光羽根３１，３４，３５は、図５に示すように退避位置に移動する。
尚、上記の説明において、第１の後幕遮光羽根３１の上辺３１ａ以外の第２および第３の後幕遮光羽根の各辺は、撮影開口の長辺に平行でなくても構わない。
【００４５】
上述した第２の実施の形態によれば、第１の実施の形態の作用効果に加えて、次の作用効果が得られる。
（１）第２の後幕遮光羽根３４は、第１領域３４ａにおける図５，６における上下方向の長さが第１領域３４ａと異なる部分における上下方向の長さよりも長い。これにより、第２の後幕遮光羽根３４による撮影開口１１，２１の遮蔽範囲が増えるので、他の後幕遮光羽根の大きさを小さくできる。これにより、光軸方向から見たときの、第２の後幕遮光羽根３４と他の後幕遮光羽根３５との隙間が存在する範囲を狭めることができ、漏光を抑制できる。
【００４６】
なお、上述した第１および第２の実施の形態のシャッタ装置１、１Ａは、次のような撮影装置に搭載可能である。
図１０は、シャッタ装置１，１Ａが搭載される撮影装置の一例としてのカメラボディの光軸ＡＸに沿った断面における構造を模式的に示す断面図である。カメラボディ１００は、略直方体形状の筐体１０１と、筐体１０１の前面から突出した、すなわち被写体側に突出した円筒状の円筒部１０２とを有する。円筒部１０２には、不図示の交換レンズ（レンズ鏡筒）を装着するためのボディ側マウント１０３が円筒部１０２の突出先端に設けられ、ボディ側マウント１０３の背後に上述したシャッタ装置１または１Ａが設けられている。円筒部１０２には、更にシャッタ装置１または１Ａの背後に、シャッタ装置１または１Ａを介して入射した光束による像を撮像する撮像素子１０４設けられている。
筐体１０１の内部に回路基板１０５とこの回路基板１０５に給電する不図示の電池とが配置され、回路基板１０５は、撮像素子１０４に接続されている。
なお、撮像素子１０４は、円筒部１０２に設ける代わりに、筐体１０１に設けてもよい。
【００４７】
このように構成されるカメラボディ１００では、次の作用効果を奏する。
（１）カメラボディ１００は、筐体１０１と、筐体１０１から突出した円筒部１０２と、円筒部１０２に配置されたシャッタ装置１または１Ａと、円筒部１０２の筐体１０１と反対側に設けられ、交換レンズを着脱可能なボディ側レンズマウント１０５と、を備える。これにより、筐体１０１の光軸ＡＸ方向の厚さを小さくでき、カメラボディ１００を小型化できる。
【００４８】
（２）カメラボディ１００は、シャッタ装置１または１Ａを介して入射した光束による像を撮像する撮像素子１０３を円筒部１０２に備える。これにより、筐体１０１の光軸ＡＸ方向の大きさをさらに小さくでき、カメラボディ１００をさらに小型化できる。
【００４９】
次のような変形も本発明の範囲内であり、変形例の一つ、もしくは複数を上述の実施形態と組み合わせることも可能である。
（変形例１）上述の説明では、一対の基板１０，２０は、外形が円形状を呈していた。しかし、一対の基板１０，２０の外形は円形に限らず、楕円形であってもよく、多角形であってもよい。また、一対の基板１０，２０の外形は円の一部を切り欠いた部分円形であってもよく、上述したいずれかの形状を組合せた形状であってもよい。
また、上述の説明では、カメラボディ１００の円筒部１０２が円筒形状を呈していた。しかし。円筒部１０２の形状は、円筒形状でなく楕円筒形状であってもよく、多角形筒形状であってもよい。また、円筒部１０２の形状は、円筒の一部を切り欠いた部分円筒形状であってもよく、上述したいずれかの形状を組合せた形状であってもよい。
なお、たとえば、円筒部１０２の形状が楕円筒形状であれば、一対の基板１０，２０の外形を楕円形とするなど、一対の基板１０，２０の形状を、円筒部１０２の内周の形状に沿った形状とすることが望ましい。
【００５０】
（変形例２）上述の説明における、軸支用ピン１３と軸支用ピン１５とは、別体のピンであってもよく、一体のピンであってもよい。
【００５１】
（変形例３）上述した第２の実施の形態では、第１の後幕遮光羽根３１によって遮蔽しきれない撮影開口１１，２１のうち、左側の領域を第２の後幕遮光羽根３４の第１領域３４遮蔽し、右側の領域を第３の後幕遮光羽根３５で遮蔽した。しかし、第１の後幕遮光羽根３１によって遮蔽しきれない撮影開口１１，２１のうち、右側の領域を第２の後幕遮光羽根３４の第１領域３４遮蔽し、左側の領域を第３の後幕遮光羽根３５で遮蔽してもよい。すなわち、第２の後幕遮光羽根３４における上下方向の大きさが大きい第１領域３４を駆動アーム４０Ａや従動アーム５０Ａの基板側連結孔４１，５１に近い右側に設け、第３の遮光羽根３５を駆動アーム４０Ａや従動アーム５０Ａの基板側連結孔４１，５１から遠い左側に設けてもよい。
【００５２】
（変形例４）上述の説明では、第３の後幕遮光羽根３３，３５は、遮光動作時に、第２の後幕遮光羽根３２，３４に引き続き撮影開口１１，２１内に進入する羽根であった。しかし、遮光動作時に、第１の後幕遮光羽根３１よりも後に撮影開口１１，２１内に進入するのであれば、第３の後幕遮光羽根３３，３５は、第２の後幕遮光羽根３２，３４よりも先に撮影開口１１，２１内に進入する羽根であってもよい。
【００５３】
（変形例５）上述した第１の実施の形態では、第３の後幕遮光羽根３３は、軸支用孔３３ｃを挿通する軸支用ピン１３によって回動可能に軸支されていた。しかし、たとえば、第３の後幕遮光羽根３３は、従動アーム５０と同様に軸支用ピン１４に回動可能に軸支され、従動アーム５０とともに軸支用ピン１４を中心に回転するように構成されていてもよい。
【００５４】
上記では、種々の実施の形態および変形例を説明したが、本発明はこれらの内容に限定されるものではない。本発明の技術的思想の範囲内で考えられるその他の態様も本発明の範囲内に含まれる。尚、以上の実施の形態および変形例では、所謂電子先幕方式のフォーカルプレーンシャッタ装置について説明したが、同様の構成の遮光羽を先幕遮光羽および後幕遮光羽根として備えたフォーカルプレーンシャッタ装置としても良い。
【符号の説明】
【００５５】
１，１Ａ；フォーカルプレーンシャッタ装置（シャッタ装置）、１０，２０；基板、１１，２１；撮影開口、１３；軸支用ピン、１５；軸支用ピン、３１；第１の後幕遮光羽根、３２，３４；第２の後幕遮光羽根、３３，３５；第３の後幕遮光羽根、３３ｅ；先端部、３４ａ；第１領域、４０，４０Ａ；駆動アーム、６０；駆動レバー、８０；駆動モータ、１００；カメラボディ、１０１；筐体、１０２；円筒部、１０３；ボディ側マウント、１０４；撮像素子
【図１】
2017097237.tif 000003
【図２】
2017097237.tif 000004
【図３】
2017097237.tif 000005
【図４】
2017097237.tif 000006
【図５】
2017097237.tif 000007
【図６】
2017097237.tif 000008
【図７】
2017097237.tif 000009
【図８】
2017097237.tif 000010
【図９】
2017097237.tif 000011
【図１０】
2017097237.tif 000012